(57)【特許請求の範囲】
【請求項１】
頭部及び軸部を有したネジ類を内部の収容部から順次排出させ所定の位置で該ネジ類をその頭部を上にし軸部を下にして停止させる停止部と、上記停止部の上部に設けられ該停止部に位置させられたネジ類を取出すための工具の先端のビットをガイドするビットガイド部とを備えたネジ類供給機において、
上記ビットガイド部を、ネジ類の排出方向を遮るようにネジ類の排出方向に対向して設けられビットが摺接してネジ類の頭部に到達可能な摺接面を有した摺接部材と、該摺接部材の摺接面側の排出方向に向かって左右に設けられビットがネジ類の頭部に到達できるように該ビットを通過可能に案内する案内口を形成するとともに該案内口の幅が可変になるように互いに相対的に移動可能に設けられる一対のチップと、該チップを上記案内口が所要幅になる移動位置において上記摺接部材に対してロックするロック機構とを備えて構成したことを特徴とするネジ類供給機。
【請求項２】
上記各チップの摺接部材に隣接する隣接部位に、該各チップの隣接部位同士の間隔が上記案内口に向けて縮小するように傾斜形成されビットを摺接させて上記案内口へガイドするガイド面を形成したことを特徴とする請求項１記載のネジ類供給機。
【請求項３】
上記摺接部材の摺接面を、上記停止部側に向けて漸次下がるよう傾斜形成したことを特徴とする請求項１または２記載のネジ類供給機。
【請求項４】
上記摺接部材の摺接面を、１平面で構成したことを特徴とする請求項３記載のネジ類供給機。
【請求項５】
上記摺接部材の摺接面を、上側から上記チップの案内口に至る折れ線を有し横断面Ｖ字状をなす２平面で構成したことを特徴とする請求項３記載のネジ類供給機。
【請求項６】
上記ロック機構を、上記摺接部材に形成され上記チップの移動方向に沿う長孔と、上記チップの背面に突設され上記長孔に貫通されるボルトと、上記長孔に挿通されたボルトに螺合し締め付けにより該チップを摺接部材に固定するナットとを備えて構成したことを特徴とする請求項１，２，３，４または５記載のネジ類供給機。
【請求項７】
上記収容部の内部から外部に突出するとともにネジ類の軸部が上側から挿入される溝を有し該溝の開口縁でネジ類の頭部を支承し収容部の内部から外部へ排出されるネジ類を案内するレールを備え、上記停止部を上記レールの先端部に形成するとともに、該レールを種々の大きさのネジ類に対応させて複数種類用意し、この複数種類のレールを交換可能にしたことを特徴とする請求項１，２，３，４，５または６記載のネジ類供給機。
【発明の詳細な説明】
【０００１】
【発明の属する技術分野】
本発明は、頭部及び軸部を有したネジ，リベットや鋲等のネジ類を順次排出させ、所定の位置でドライバー等の工具の先端のビットをガイドしてこのビットによりネジ類を取出すことができるようにしたネジ類供給機に関する。
【０００２】
【従来の技術】
従来、この種のネジ類供給機としては、例えば、図８及び図９に示すようなものが知られている（例えば、特公平４−３５３０６号公報掲載）。
これは、機台１に設けられ多数のネジ類Ｓが収容される収容部２と、収容部２の内部から外部に突出するとともにネジ類Ｓの軸部Ｓａが上側から挿入される溝３を有し該溝３の開口縁でネジ類Ｓの頭部Ｓｂを支承し収容部２の内部から外部へ排出されるネジ類Ｓを案内するレール４と、レール４の先端に設けられ排出されたネジ類Ｓをレール４の側部に設けたスプリングで付勢したストッパ５によって停止させて保持する停止部６と、停止部６の上部に設けられ停止部６に位置させられたネジ類Ｓを取出すためのドライバー等の工具の先端のビットＢをガイドするビットガイド部７とを備えて構成されている。
ビットガイド部７は、図９に示すように、ネジ類Ｓの排出方向に対向して設けられビットＢが摺接してネジ類Ｓの頭部Ｓｂに到達可能な扇形の平面状の摺接板７ａと、この摺接板７ａの左右に折曲形成されビットＢを摺接させてガイドするとともに下側にビットＢを通過可能に案内する案内口８を形成する一対のガイド板７ｂとを備えている。
そして、停止部６に至ったネジ類ＳをビットＢで取出すときは、ビットＢをビットガイド部７に押しつけると、ビットＢは、摺接板７ａを摺接するとともにガイド板７ｂにガイドされて案内口８に至ってこの案内口８を通過し、ネジ類Ｓの頭部Ｓｂに係合する。これにより、ネジ類Ｓが取出される。
【０００３】
【発明が解決しようとする課題】
ところで、ネジ類Ｓとして、例えば、小ネジの場合には、軸部Ｓａの外径には、１ｍｍ，１．２ｍｍ，１．４ｍｍ，１．７ｍｍ，２ｍｍ，２．３ｍｍ，２．６ｍｍ，３ｍｍ等、細かく種類分けがあるが、これらの種類に対応してネジ類供給機を用いる場合には、ネジ類Ｓの外径に対応するレール４に交換して供給を行なうようにしている。
また、レール４を交換して種類の異なるネジ類Ｓを供給する場合、図１０（ａ）（ｂ）に示すように、ドライバーの場合では、異なる外径ｄ（例えば、ｄ1 ，ｄ2 ）のビットＢを用い、あるいは、図１１（ａ）（ｂ）に示すように、エアサクション型の工具では、異なる外径ｄ（ｄ3 ，ｄ4 ）のビットＢを用いる。
しかしながら、従来のネジ類供給機にあっては、ビットガイド部７は、摺接板７ａの左右にガイド板７ｂを折曲形成して構成されているので、案内口８の幅Ｄが一義的になっており、そのため、レール４を交換して種類の異なるネジ類Ｓを供給する場合、異なる外径のビットＢに対応した幅Ｄの案内口８を有したビットガイド部７に交換する必要が生じる。
このため、逐一、ビットＢの種類に応じたビットガイド部７を用意しなければならないので、部品点数が多くなって製造が煩雑になるとともに管理が煩雑になり、また、逐一交換作業が必要になるので、作業効率も悪いという問題があった。
【０００４】
本発明は上記の問題点に鑑みて為されたもので、１つのビットガイド部で、種々の太さのビットに対応できるようにし、部品点数を低減して管理を容易にするとともに交換作業をなくして作業効率の向上を図ったネジ類供給機の提供を目的とする。
【０００５】
【課題を解決するための手段】
このような目的を達成するための本発明の技術的手段は、頭部及び軸部を有したネジ類を内部の収容部から順次排出させ所定の位置で該ネジ類をその頭部を上にし軸部を下にして停止させる停止部と、上記停止部の上部に設けられ該停止部に位置させられたネジ類を取出すための工具の先端のビットをガイドするビットガイド部とを備えたネジ類供給機において、上記ビットガイド部を、ネジ類の排出方向を遮るようにネジ類の排出方向に対向して設けられビットが摺接してネジ類の頭部に到達可能な摺接面を有した摺接部材と、該摺接部材の摺接面側の排出方向に向かって左右に設けられビットがネジ類の頭部に到達できるように該ビットを通過可能に案内する案内口を形成するとともに該案内口の幅が可変になるように互いに相対的に移動可能に設けられる一対のチップと、該チップを上記案内口が所要幅になる移動位置において上記摺接部材に対してロックするロック機構とを備えて構成している。
【０００６】
このネジ類供給機を用いるときは、予め、ネジ類供給機で供給するネジ類を取出すビットの外径に対応させて、ビットガイド部の案内口の幅を調整する。また、ネジ類の軸部の外径の異なる別のネジ類を供給する場合にも、この別のネジ類を取出すビットの外径に対応させて、ビットガイド部の案内口の幅を調整する。この調整においては、ロック機構を解除し、両チップを互いに近接，離間させて、案内口の幅を変え、案内口が所要幅になる移動位置において、ロック機構によりロックする。この場合、ビットガイド部の案内口の幅を調整することにより、ビットの大きさに容易に対応できるようになる。このため、従来のように、逐一、ビットの種類に応じたビットガイド部を用意しなくても、１つのビットガイド部で、種々の太さのビットに対応できるようになるので、部品点数が低減されて、管理が容易になるとともに、ビットガイド部の交換作業がないので、作業効率の向上が図られる。
【０００７】
そして、必要に応じ、上記各チップの摺接部材に隣接する隣接部位に、該各チップの隣接部位同士の間隔が上記案内口に向けて縮小するように傾斜形成されビットを摺接させて上記案内口へガイドするガイド面を形成した構成としている。ビットは、摺接面，ガイド面及び案内口によってガイドされてネジ類の頭部に到達させられるので、確実にかつ容易にネジ類に係合でき、取出し操作を極めて容易に行なうことができる。
また、必要に応じ、上記摺接部材の摺接面を、上記停止部側に向けて漸次下がるよう傾斜形成している。ビットが傾斜に沿って摺接するので、ビットをネジ類の頭部まで移動させ易く、操作性を向上させることができる。
この場合、必要に応じ、上記摺接部材の摺接面を、１平面で構成している。
また、必要に応じ、上記摺接部材の摺接面を、上側から上記チップの案内口に至る折れ線を有し横断面Ｖ字状をなす２平面で構成している。ビットを折れ線に摺接させ易くなり、折れ線は直線であることから確実にビットを移動させることができ、操作性を向上させることができる。
【０００８】
更に、必要に応じ、上記ロック機構を、上記摺接部材に形成され上記チップの移動方向に沿う長孔と、上記チップの背面に突設され上記長孔に貫通されるボルトと、上記長孔に挿通されたボルトに螺合し締め付けにより該チップを摺接部材に固定するナットとを備えて構成している。機構を簡単にしてチップを移動させロックすることができる。
更にまた、必要に応じ、上記収容部の内部から外部に突出するとともにネジ類の軸部が上側から挿入される溝を有し該溝の開口縁でネジ類の頭部を支承し収容部の内部から外部へ排出されるネジ類を案内するレールを備え、上記停止部を上記レールの先端部に形成するとともに、該レールを種々の大きさのネジ類に対応させて複数種類用意し、この複数種類のレールを交換可能にしている。
【０００９】
【発明の実施の形態】
以下、添付図面に基づいて、本発明の実施の形態に係るネジ類供給機について詳細に説明する。尚、上記と同様のものには同一の符号を付して説明する。
図１乃至図４に示すネジ類供給機は、軸部Ｓａとこの軸部Ｓａよりも大径の頭部Ｓｂを有したネジ，ビス，スクリュー，リベットや鋲等のネジ類Ｓを多数収容して、一個ずつ整列させて送給する装置である。実施の形態では小ネジに適用した場合を示す。
【００１０】
実施の形態に係るネジ類供給機は、図１に示すように、機台１に設けられ多数のネジ類Ｓが収容される収容部２と、収容部２の内部から外部に突出するとともにネジ類Ｓの軸部Ｓａが上側から挿入される溝３を有し該溝３の開口縁でネジ類Ｓの頭部Ｓｂを支承し収容部２の内部から外部へ排出されるネジ類Ｓを案内するレール４と、レール４の先端部に形成されレール４に沿って排出されたネジ類Ｓをレール４の側部に設けたスプリングで付勢して停止させるストッパ５を有した停止部６と、停止部６の上部に設けられ停止部６に位置させられたネジ類Ｓを取出すためのドライバー等の工具の先端のビットＢをガイドするビットガイド部Ｇとを備えて構成されている。
尚、収容部２からレール４を介して停止部６に排出させる排出手段（図示せず）は、例えば、本件出願人が先に開発した特許第２９９７８６５号公報に掲載された公知の手段、あるいは、上記の特公平４−３５３０６号公報に掲載された公知の手段等による。
レール４は、機台１に対して交換可能に着脱できるようにユニット化されている。上記もしたように、ネジ類Ｓとして、例えば、小ネジの場合には、軸部Ｓａの外径には、１ｍｍ，１．２ｍｍ，１．４ｍｍ，１．７ｍｍ，２ｍｍ，２．３ｍｍ，２．６ｍｍ，３ｍｍ等、細かく種類分けがあるが、これらの種類に対応できるように、ネジ類Ｓの外径に対応した複数種類のレール４を用意し、この複数種類のレール４を交換可能にしている。
【００１１】
次に、本発明の実施の形態に係るビットガイド部Ｇについて詳しく説明する。このビットガイド部Ｇは、図１乃至図４に示すように、ネジ類Ｓの排出方向Ｒを遮るように該排出方向Ｒに対向して設けられビットＢが摺接してネジ類Ｓの頭部Ｓｂに到達可能な摺接面１１を有した摺接部材１０と、摺接部材１０の摺接面１１側の排出方向に向かって左右に設けられビットＢがネジ類Ｓの頭部Ｓｂに到達できるように該ビットＢを通過可能に案内する案内口２１を形成するとともに案内口２１の幅Ｄが可変になるように互いに相対的に移動可能に設けられる一対のチップ２０，２０と、チップ２０を案内口２１が所要幅Ｄになる移動位置において摺接部材１０に対してロックするロック機構３０とを備えて構成されている。
摺接部材１０は、略矩形の金属製板を中央で折曲形成したもので、摺接面１１が、上側からチップ２０の案内口２１に至る折れ線１２を有し横断面Ｖ字状をなす略矩形の互いに対称の２平面（図３中１１ａ，１１ｂ）で構成されている。また、摺接面１１は、停止部６側に向けて漸次下がるよう傾斜形成されている。１４は上部に一体に折曲形成されて延設され機台１に取付けるための取付片であり、取付けられた状態で、摺接面１１が停止部６側に向けて漸次下がる傾斜を保持する角度で延設されている。この取付片１４には、取付ボルト（図１中１６）が挿通される一対の取付孔１５が設けられている。
【００１２】
チップ２０は、略直角三角形状の金属製板で形成され、互いに斜辺２３を向き合わせるように摺接部材１０の摺接面１１に摺動移動可能に配置されている。これにより、案内口２１が下側の頂角２２間で形成される。下側の頂角２２部分はわずかに切除されてビットＢが摺接できるように形成されている。また、各チップ２０の摺接部材１０に隣接する隣接部位（斜辺２３）に、各チップ２０の隣接部位同士の間隔が案内口２１に向けて縮小するように傾斜形成されビットＢを摺接させて案内口２１へガイドするガイド面２４が形成される。即ち、ガイド面２４は斜辺２３で構成される。
【００１３】
ロック機構３０は、摺接部材１０に形成されチップ２０の移動方向に沿う長孔３１と、チップ２０の背面に突設され長孔３１に貫通されるボルト３２と、長孔３１に挿通されたボルト３２に螺合し締め付けによりチップ２０を摺接部材１０に固定するナット３３とを備えて構成されている。長孔３１内にボルト３２を移動させることにより、両チップ２０が互いに近接，離間し、案内口２１の幅Ｄが可変になるとともに、ナット３３の締め付けによりチップ２０を案内口２１が所要幅Ｄになる移動位置において摺接部材１０に対してロックする。
【００１４】
従って、この実施の形態に係るネジ類供給機を用いるときは、先ず、図１に示すように、予め、ネジ類供給機で供給するネジ類Ｓの外径に対応したレール４のユニットを用意し、これをネジ類供給機に装着する。また、図４に示すように、このネジ類Ｓを取出すビットＢの外径ｄ（図１０，１１）に対応させて、案内口２１の幅Ｄを調整する。この調整においては、ナット３３を緩めて長孔３１でボルト３２を移動させ、両チップ２０を互いに近接，離間させて、案内口２１の幅Ｄを変え、案内口２１が所要幅Ｄ（Ｄ1 ）になる移動位置において、ナット３３を締め付け、摺接部材１０に対してロックする。この際、案内口２１の幅Ｄは、正面から見て（図４）ネジ類Ｓの中心線Ｐに対して左右対称になるように、しかも、ビットＢが通過する際がたつきが少なくなるように適宜のクリアランスを持ってビットＢがネジ類Ｓの頭部Ｓｂに到達できるようにする。この場合、ナット３３を緩めてチップ２０を移動させ、再びナット３３を締め付けるという簡単な操作で、幅調整が行なわれ、調整作業が極めて簡単に行なわれる。
【００１５】
この状態で、ネジ類供給機を用いて、ビットＢによりネジ類Ｓを取出すときは、以下のようになる。ネジ類供給機においては、ネジ類Ｓを内部の収容部２からレール４を通して順次排出させており、排出されてきたネジ類Ｓが、レール４の停止部６に至ると、ストッパ５によりその移動が停止させられる。この状態において、ビットＢをビットガイド部Ｇの摺接部材１０の摺接面１１に押しつけると、ビットＢは、摺接面１１を摺接するとともにチップ２０のガイド面２４にガイドされて案内口２１に至り、案内口２１に案内されてネジ類Ｓの頭部Ｓｂに係合する。これにより、ネジ類Ｓが取出される。
この場合、ビットＢは、摺接面１１，折れ線１２，ガイド面２４及び案内口２１によってガイドされてネジ類Ｓの頭部Ｓｂに到達させられるので、確実にかつ容易にネジ類Ｓに係合でき、取出し操作が極めて容易に行なわれる。
【００１６】
次に、ネジ類Ｓの軸部Ｓａの外径の異なる別のネジ類Ｓを供給する場合について説明する。今、図５に示すように、図４に示すネジ類Ｓよりも外径の大きいネジ類Ｓに適用する場合について説明すると、先ず、図１に示すように、予め、ネジ類供給機で供給するネジ類Ｓの外径に対応したレール４のユニットを用意し、これをネジ類供給機に装着する。また、このネジ類Ｓを取出すビットＢの外径に対応させて、ビットガイド部Ｇの案内口２１の幅Ｄを調整する。この調整においては、図５に示すように、ナット３３を緩めて長孔３１でボルト３２を移動させ、両チップ２０を互いに近接，離間させて（図５では図４の状態から離間させている）、案内口２１の幅Ｄを変え、案内口２１が所要幅Ｄ（Ｄ2 ）になる移動位置において、ナット３３を締め付け摺接部材１０に対してロックする。この場合にも、上記と同様に、簡単な操作で、幅調整が行なわれ、調整作業が極めて簡単に行なわれる。
このように、ネジ類Ｓとして、例えば、小ネジの場合には、軸部Ｓａの外径には、１ｍｍ，１．２ｍｍ，１．４ｍｍ，１．７ｍｍ，２ｍｍ，２．３ｍｍ，２．６ｍｍ，３ｍｍ等、細かく種類分けがあるが、これらのネジ類Ｓの軸部Ｓａの外径の異なるネジ類Ｓを取扱う場合には、レール４の交換を行ない、ビットガイド部Ｇの案内口２１の幅Ｄを調整することにより、容易に対応できるようになる。このため、従来のように、逐一、ビットＢの種類に応じたビットガイド部を用意しなくても、１つのビットガイド部Ｇで、種々の太さのビットＢに対応できるようになるので、部品点数が低減されて、管理が容易になるとともに、ビットガイド部Ｇの交換作業がないので、作業効率の向上が図られる。
【００１７】
図６には、ビットガイド部Ｇの別の例を示す。これは、上記と略同様に構成されるが、上記と異なって、摺接部材１０の摺接面１１が１平面で構成されている。これによっても、上記と同様の作用，効果を奏する。
尚、上記実施の形態において、摺接部材１０の形状や、チップ２０の形状は上述した形状に限定されるものではなく、適宜変更して差支えない。例えば、図７に示すように、チップ２０を角棒状に形成して良い。
また、ロック機構３０の構成についても上述したものに限定されないことは勿論である。
【００１８】
【発明の効果】
以上説明したように、本発明のネジ類供給機によれば、ビットガイド部において摺接部材の摺接面側の左右に設けたチップの案内口の幅をビットがネジ類の頭部に到達できるように可変にしたので、種類の異なるネジ類を供給する場合、ビットの大きさが異なっても、逐一、ビットの種類に応じたビットガイド部を用意することなく、１つのビットガイド部で、種々の太さのビットに対応できるようになり、そのため、部品点数を低減することができ、管理を容易にすることができるとともに、ビットガイド部の交換作業が不要なので、作業効率を向上させることができる。
そして、各チップの摺接部材に隣接する隣接部位にビットを摺接させて案内口へガイドするガイド面を形成した場合には、ビットは、摺接面，ガイド面及び案内口によってガイドされてネジ類の頭部に到達させられるので、確実にかつ容易にネジ類に係合でき、取出し操作を極めて容易に行なうことができる。
【００１９】
また、摺接部材の摺接面を、停止部側に向けて漸次下がるよう傾斜形成した場合には、ビットが傾斜に沿って摺接するので、ビットをネジ類の頭部まで移動させ易く、操作性を向上させることができる。
更に、摺接部材の摺接面を、上側からチップの案内口に至る折れ線を有し横断面Ｖ字状をなす２平面で構成した場合には、ビットを折れ線に摺接させ易くなり、折れ線は直線であることから確実にビットを移動させることができ、操作性を向上させることができる。
更にまた、ロック機構を、摺接部材に形成されチップの移動方向に沿う長孔と、チップの背面に突設され長孔に貫通されるボルトと、長孔に挿通されたボルトに螺合し締め付けによりチップを摺接部材に固定するナットとを備えて構成した場合には、機構を簡単にしてチップを移動させロックすることができる。
また、停止部を先端部に形成したレールを種々の大きさのネジ類に対応させて複数種類用意し、この複数種類のレールを交換可能にした場合には、種類の異なるネジ類を供給する場合、交換作業が容易になり、作業効率を向上させることができる。
【図面の簡単な説明】
【図１】本発明の実施の形態に係るネジ類供給機を交換可能な複数種類のレールのユニットともに示す斜視図である。
【図２】本発明の実施の形態に係るネジ類供給機のビットガイド部を示す斜視図である。
【図３】本発明の実施の形態に係るネジ類供給機のビットガイド部を示す分解斜視図である。
【図４】本発明の実施の形態に係るネジ類供給機のビットガイド部をその作用とともに示す図であり、（ａ）は正面図、（ｂ）は側面断面図である。
【図５】本発明の実施の形態に係るネジ類供給機のビットガイド部をその作用とともに示す正面図である。
【図６】本発明の実施の形態に係るネジ類供給機の別のビットガイド部を示す斜視図である。
【図７】本発明の実施の形態に係るネジ類供給機のまた別のビットガイド部を示す斜視図である。
【図８】従来のネジ類供給機の一例を示す斜視図である。
【図９】従来のネジ類供給機のビットガイド部の一例を示す斜視図である。
【図１０】ドライバーのビットの一例を示す図である。
【図１１】エアサクション型の工具のビットの一例を示す図である。
【符号の説明】
Ｓ  ネジ類
Ｓａ  軸部
Ｓｂ  頭部
１  機台
２  収容部
３  溝
４  レール
５  ストッパ
６  停止部
Ｇ  ビットガイド部
１０  摺接部材
１１  摺接面
１２  折れ線
１４  取付片
２０  チップ
２１  案内口
２２  頂角
２３  斜辺
２４  ガイド面
３０  ロック機構
３１  長孔
３２  ボルト
３３  ナット
【図１】
0003545309.tif 000002
【図２】
0003545309.tif 000003
【図３】
0003545309.tif 000004
【図４】
0003545309.tif 000005
【図５】
0003545309.tif 000006
【図６】
0003545309.tif 000007
【図７】
0003545309.tif 000008
【図８】
0003545309.tif 000009
【図９】
0003545309.tif 000010
【図１０】
0003545309.tif 000011
【図１１】
0003545309.tif 000012